(57)【要約】【課題】回動カバーの誤動作を防止でき、しかも、操作性に優れ且つ小型化を図ることが可能な撮像装置を提供する。【解決手段】ビデオカメラ本体１０３に回動可能に取り付けた回動カバー１０５の回動を規制するクリックバネ１２０に、回動カバー１０５と接触する複数の凸部１２０ａ，１２０ｂを設けた。【選択図】      図５
2004260601.tif 000002
【特許請求の範囲】
【請求項１】
撮像装置本体に回動可能に取り付けた回動カバーの回動をクリックバネにより規制するようにした撮像装置において、
前記クリックバネに前記回動カバーと接触する複数の凸部を設けたことを特徴とする撮像装置。
【請求項２】
撮像装置本体に対して回動可能に取り付けられた回動カバーを開放位置と閉成位置にクリックすることにより規制する撮像装置において、
前記回動カバーには当該回動カバーを支持する保持部材が設けられ、前記撮像装置本体内には前記回動カバーの前記開放位置と閉成位置に対応する位置において前記保持部材に係合する係合部を形成したクリックバネが設けられ、前記保持部材には前記回動カバーの回動動作中、前記クリックバネの係合部を逃げる長孔が形成されていることを特徴とする撮像装置。
【発明の詳細な説明】
【０００１】
【発明の属する技術分野】
本発明は、ビデオカメラ等の撮像装置に関する。
【０００２】
【従来の技術】
近年、ビデオカメラの小型化は目覚ましく、ビデオカメラ本体の大きさは減少する傾向にある。また、記録媒体が装着されるレコーダー機構等には、一端が蝶着された回動カバーで覆うことのできる構成が採用されている。この回動カバーによって、ゴミの進入の防止や誤動作等の防止が図られ、或いは外観上の美観の向上を図ることができる。
【０００３】
一般に、回動カバーは、使用中に不用意に開くのを防止し、操作性等を向上させるためのロック機構を備えている。ユーザーは、記録媒体を交換する場合は、ロック機構を解除して回動カバーを開放すると、回動カバーの回動を検知する検知スイッチが入り、レコーダー機構は、スライド及びポップアップして記録媒体を出し入れできる状態となる。
【０００４】
ここで、回動カバーは、操作性の向上やレコーダー機構の保護のために、開放状態で回動を規制するクリックバネによるクリック機構が設けられている。このクリック機構は、ビデオカメラの小型化を犠牲にしないような設計を心がける必要がある。そして、ユーザーは、記録媒体の出し入れ操作が終了したら、クリックバネのクリック力に勝る回動力で回動カバーを閉止位置まで回動させると、回動カバーは、閉止状態でロックされる。
【０００５】
また、回動カバーには、ビデオカメラの小型化や操作性の向上のために、操作スイッチやスピーカー等の電気部品が具備される場合がある。そして、それらの回動カバーに設けられた電気部品とビデオカメラ本体の制御回路基板とを通信するためのフレキシブル配線が回動カバーとビデオカメラ本体とに接続されながら装着される。
【０００６】
よって、フレキキシブル配線は、回動カバーの開閉の度に屈曲を繰り返すこととなってしまうため、フレキシブル配線は、ストレスができる限り掛かからないように、十分なスペースを確保した引き回しになっている。
【０００７】
【発明が解決しようとする課題】
しかしながら、上述した従来例の場合、クリック機構は、操作性の向上や誤動作の防止のために十分なクリック力を発生させ、不用意に回動カバーが閉じてしまわないようにする必要がある。そのためには、クリック機構は、可能な限り回動カバーの回動軸から離れた位置に設置することが望ましいが、クリック機構を回動カバーの回動軸から離れた位置に設置すると、回動カバーを開放させた時に、クリックバネが回動カバーに接触している部分の摺動痕や潤滑油が回動カバーの外観部に付いてしまい、大変見苦しいものとなってしまう。
【０００８】
また、摺動痕や潤滑油が回動カバーの外観部に付かない位置にクリック機構を設置すると、ビデオカメラ本体の小型化に相反してしまう。
【０００９】
そして、クリック機構をやむなく回動カバーの回動軸近傍に設置した場合、クリックバネは強力なクリック力を発生させなくてはならず、ビデオカメラが大型化してしまうという問題がある。また、クリックバネの強力なバネ力によって、ビデオカメラの一部を変形させてしまうという危険性も有している。
【００１０】
また、回動カバーに操作スイッチやスピーカー等の電気部品が具備される場合は、フレキシブル配線にストレスが可能な限り掛かからないようにするべく、十分なスペースを確保した引き回しにするため、ビデオカメラ本体の小型化に相反してしまう。
【００１１】
更に、フレキキシブル配線の屈曲は非常に不安定であり、信頼性に欠けるという問題点も有している。
【００１２】
本発明は、このような従来の技術の有する問題点を解消するためになされたもので、その目的は、回動カバーの誤動作を防止でき、しかも、操作性に優れ且つ小型化を図ることが可能な撮像装置を提供することである。
【００１３】
【課題を解決するための手段】
上記目的を達成するために、本発明の撮像装置は、撮像装置本体に回動可能に取り付けた回動カバーの回動をクリックバネにより規制するようにした撮像装置において、前記クリックバネに前記回動カバーと接触する複数の凸部を設けたことを特徴とする。
【００１４】
また、上記目的を達成するために、本発明の撮像装置は、撮像装置本体に対して回動可能に取り付けられた回動カバーを開放位置と閉成位置にクリックすることにより規制する撮像装置において、前記回動カバーには当該回動カバーを支持する保持部材が設けられ、前記撮像装置本体内には前記回動カバーの前記開放位置と閉成位置に対応する位置において前記保持部材に係合する係合部を形成したクリックバネが設けられ、前記保持部材には前記回動カバーの回動動作中、前記クリックバネの係合部を逃げる長孔が形成されていることを特徴とする。
【００１５】
【発明の実施の形態】
以下、本発明の一実施の形態を、図面に基づき説明する。
【００１６】
図１は、本実施の形態に係る撮像装置であるビデオカメラの記録媒体が装着されるレコーダー機構を覆う回動カバーを開いた状態における前方斜視図である。
【００１７】
図１において、１０１は撮像レンズ、１０２は録音マイクで、撮像レンズ１０１の後方にビデオカメラ本体１０３がレイアウトされている。１０４はバッテリーパックで、ビデオカメラ本体１０３に電源を供給するためのものである。１０５は回動カバーで、記録媒体が装着されるレコーダー機構１０６を覆うものである。この回動カバー１０５は、一側辺部がビデオカメラ本体１０３に対して垂直方向に回転可能に連結されている。また、回動カバー１０５には、長さ調節が可能なグリップベルト１０７及びロックレバー１０８がスライド可能に具備されている。ビデオカメラ本体１０３にはロックプレート１０９が設けられ、このロックプレート１０９は、ロックレバー１０８に設けられた爪部１０８ａと係脱自在に係合するようになっている。
【００１８】
即ち、ユーザーが記録媒体を交換する場合は、ロックレバー１０８をスライド操作し、ロックプレート１０９との係合関係を解除し、回動カバー１０５を開放させる。すると、回動カバー１０５の回動を検知する不図示の検知スイッチが入り、レコーダー機構１０６は、スライド及びポップアップして記録媒体を出し入れできる状態となる。
【００１９】
次に、本実施の形態に係る撮像装置であるビデオカメラの具体的構成について、図２を用いて説明する。
【００２０】
図２は、本実施の形態に係る撮像装置であるビデオカメラの分解斜視図である。
【００２１】
図２に示すように、回動カバー１０５には、ビデオカメラ本体１０３の電源のオン（入り）／オフ（切り）やモードの切り替えを行なうための電源スイッチ１１０及びビデオ再生時に音声やスイッチ操作の警告音等を鳴らすスピーカー１１１が収められている。電源スイッチ１１０及びスピーカー１１１にはフレキシブル配線１１２が接続され、このフレキシブル配線１１２は、回動カバー１０５に設けられたダボ１０５ａに係止している。
【００２２】
１１３は第１の保持部材で、略コの字形状に形成された両側面部の先端には軸穴１１３ａが設けられている。また、第１の保持部材１１３の前側側面部にはストッパー部１１３ｂ、クリック穴１１３ｃ、スリット穴１１３ｄ及びテーパー部１１３ｅが、それぞれ形成されている。第１の保持部材１１３の底面部にはロックレバー１０８がスライド可能に保持される。第１の保持部材１１３の底面部にはフック部１１３ｆが設けられ、このフック部１１３ｆにはロックバネ１１４の一端が係合し、このロックバネ１１４の他端がロックレバー１０８に設けられたフック部１０８ｂに係合している。従って、ロックレバー１０８は、ロックバネ１１４によりバネ付勢力を受けながらスライド可能に保持されている。また、第１の保持部材１１３は、スピーカー１１１、フレキシブル配線１１２及びロックレバー１０８を挟み込むように回動カバー１０５にビスによって固定されている。ロックレバー１０８と係合するロックプレート１０９は、三脚取付け部１０９ａと一体に形成されており、本体カバー１１９に係止されている。
【００２３】
１１５は回動軸で、略コの字形状の第１の保持部材１１３よりも十分な長さを有し、第１の保持部材１１３に設けられた一側面部の軸穴１１３ａを貫通し、フレキシブル配線１１２を保持するフレキシブル保持部材１１６に設けられた軸穴１１６ａを貫通し、第１の保持部材１１３に設けられた他側面部の軸穴１１３ａを貫通している。回動軸１１５の両端部は、第２の保持部材１１７と第３の保持部材１１８とが本体カバー１１９にビスによって固定されることにより、本体カバー１１９に設けられた軸受部１１９ａと第２の保持部材１１７と第３の保持部材１１８とによって回動軸１１５の両端部がそれぞれ挟まれた状態で固定される。これにより、回動カバー１０５とフレキシブル保持部材１１６とは、回動軸１１５を回動中心として回動自在に保持されることとなる。
【００２４】
また、第２の保持部材１１７には、クリックバネ１２０がビスによって固定されおり、このクリックバネ１２０は、第１の保持部材１１３の側面を絶えず押圧している。これにより、回動カバー１０５は、クリックバネ１２０によってフリクションを受けながら回動することとなる。クリックバネ１２０には、第一の凸部１２０ａと第二の凸部１２０ｂとが設けられ、これら凸部１２０ａ，１２０ｂは、回動カバー１０５と接触するようになっている。
【００２５】
以上のように構成された本実施の形態に係る撮像装置であるビデオカメラにおけるクリックバネ１２０によるクリック機構の動作について、図３乃至図９を用いて説明する。
【００２６】
図３及び図４は、回動カバー１０５を閉じた状態の要部断面図であり、回動カバー１０５の閉止状態では、クリックバネ１２０に設けられた第一の凸部１２０ａと第１の保持部材１１３の側面に設けられたクリック穴１１３ｃとが係合して接触している。また、クリックバネ１２０に設けられた第二の凸部１２０ｂは、第１の保持部材１１３の側面に設けられたスリット穴（長孔）１１３ｄによって第１の保持部材１１３の側面から浮いた状態となっている。この状態において、回動カバー１０５を回動すると、クリックバネ１２０に設けられた第一の凸部１２０ａは、クリック穴１１３ｃを乗り越えて、図４の矢印Ｘ方向に変形し、第１の保持部材１１３の側面は、クリックバネ１２０に押圧されながら摺動する。
【００２７】
図５及び図６は、回動カバー１０５の開放状態の要部断面図及び斜視図であり、第１の保持部材１１３の側面に設けられたストッパー部１１３ｂと第２の保持部材１１７とが係止し、回動カバー１０５は回動を阻止されている。そして、クリックバネ１２０に設けられた第一の凸部１２０ａは、第１の保持部材１１３の側面から離れ、第二の凸部１２０ｂが第１の保持部材１１３の側面に設けられたテーパー部１１３ｅを摺動しながら、このテーパー部１１３ｅの先端部で係止している。これによって、回動カバー１０５は開放状態に保持される。そして、回動カバー１０５を閉じる場合は、クリックバネ１２０のバネ力に抗して、クリックバネ１２０に設けられた第二の凸部１２０ｂと第１の保持部材１１３の側面に設けられたテーパー部１１３ｅの先端部との係止関係が解除される回動力で回動カバー１０５を回動させる。
【００２８】
また、回動カバーの開閉動作中、前記スリット穴１１３ｄによって、クリックバネ１２０の第２の凸部１２０ｂを逃げるので、保持部座右１１３に擦り傷が付くことがなく、回動カバー１０５が開放され、保持部材１１３が外部に露出しても傷が露出するようなことがない。またこれは、クリックバネ１２０の第２の凸部１２０ｂを磨耗から保護することにもなり、極めて効果的である。
【００２９】
次に、本実施の形態に係る撮像装置であるビデオカメラにおけるフレキシブル保持部材１１６の構成について、図及び図８を用いて説明する。
【００３０】
図７及び図８は、回動カバー１０５を閉じた状態における要部の斜視図及び断面図である。図７及び図８の状態では、フレキシブル保持部材１１６に設けられた軸穴１１６ａを回動軸１１５が貫通し、更に、フレキシブル保持部材１１６の両端に突出するように設けられたストッパー部１１６ｃと本体カバー１１９に設けられた軸受リブ１１９ｂ，１１９ｃとが係止し、フレキシブル保持部材１１６は回動を阻止されている。更に、フレキシブル保持部材１１６は、軸受リブ１１９ｂ，１１９ｃに挟まれて、回動軸１１５をフレキシブル保持部材１１６がスライドしてしまうことを規制されている。そして、フレキシブル配線１１２は、フレキシブル保持部材１１６に設けられた角穴１１６ｂを貫通し、回動軸１１５とフレキシブル保持部材１１６との間を通り、ビデオカメラ本体内部の付図示の電気信号処理回路に接続される。
【００３１】
図９は、回動カバー１０５の開放状態における要部の断面図である。
【００３２】
図８の状態から回動カバー１０５を開くと、これに伴ってフレキシブル配線１１２が回動することにより、フレキシブル保持部材１１６も回動する。そして、図９に示すように、フレキシブル保持部材１１６の先端部１１６ｄと本体カバー１１９に設けられたストッパー部１１９ｃとが係止し、フレキシブル保持部材１１６は回動を阻止されている。この時、回動カバー１０５とフレキシブル保持部材１１６の回動角は同等となり、フレキシブル配線１１２の屈曲形状は、回動カバー１０５の閉止状態と開放状態とで変わらない（図８及び図９参照）。
【００３３】
以上詳述したように、本実施の形態に係るビデオカメラによれば、クリックバネに回動カバーと接触する複数の凸部を設け、これら複数の凸部は、回動カバーの回動軸からの距離がそれぞれ異なり、また、これら複数の凸部は、回動カバーの回動角が閉止状態近傍では前記回動カバーの回動軸からの距離が近い凸部が前記回動カバーと接触し、前記回動カバーの回動角が開放状態近傍では前記回動カバーの回動軸からの距離が遠い凸部が前記回動カバーと接触するように構成にしたものである。
【００３４】
従って、クリックバネ１２０によるクリック機構は、ビデオカメラ本体が大型化することなく十分なクリック力を発生させることができるため、誤動作を防止することができ、しかも、操作性に優れ且つ小型化を図ることが可能なビデオカメラを提供することができる。また、クリックバネ１２０の摺動痕や潤滑油がビデオカメラ本体の外観部に付着することなく、大変見栄えの良いビデオカメラを提供することができる。
【００３５】
また、回動カバー１０５に装着された電気部品の電気信号をビデオカメラ本体側に設けられた電気部品と通信するためのフレキシブル配線１１２を保持するフレキシブル保持部材１１６を、回動カバー１０５の回動軸１１５に回動可能に設け、更に、フレキシブル保持部材１１６は、回動カバー１０５の回動に連動して回動するように構成にしたので、回動カバー１０５の回動によりフレキシブル配線１１２に掛かるストレスを防ぐことができ、断線等の危険性のない信頼性の高いビデオカメラを提供することができる。
【００３６】
以上では、本発明の様々な例と実施形態を説明したが、当業者であれば、本発明の趣旨と範囲は本明細書内の特定の説明と図に限定されるものではなく、本願特許請求の範囲に全て述べられた様々な修正と変更に及ぶことが可能であることは言うまでもない。
【００３７】
本発明の実施態様の例を以下に列挙する。
【００３８】
［実施態様１］  撮像装置本体に回動可能に取り付けた回動カバーの回動をクリックバネにより規制するようにした撮像装置において、
前記クリックバネに前記回動カバーと接触する複数の凸部を設けたことを特徴とする撮像装置。
【００３９】
［実施態様２］  前記複数の凸部は、前記回動カバーの回動軸からの距離がそれぞれ異なることを特徴とする実施態様１に記載の撮像装置。
【００４０】
［実施態様３］  前記複数の凸部は、前記回動カバーの回動角が閉止状態近傍では前記回動カバーの回動軸からの距離が近い凸部が前記回動カバーと接触し、前記回動カバーの回動角が開放状態近傍では前記回動カバーの回動軸からの距離が遠い凸部が前記回動カバーと接触することを特徴とする実施態様１または２に記載の撮像装置。
【００４１】
［実施態様４］  撮像装置本体に対して回動可能に取り付けられた回動カバーを開放位置と閉成位置にクリックすることにより規制する撮像装置において、
前記回動カバーには当該回動カバーを支持する保持部材が設けられ、前記撮像装置本体内には前記回動カバーの前記開放位置と閉成位置に対応する位置において前記保持部材に係合する係合部を形成したクリックバネが設けられ、前記保持部材には前記回動カバーの回動動作中、前記クリックバネの係合部を逃げる長孔が形成されていることを特徴とする撮像装置。
【００４２】
［実施態様５］  撮像装置本体に回動可能に取り付けた回動カバーと、前記回動カバーに装着された電気部品の電気信号を撮像装置本体側に設けられた電気部品と通信するためのフレキシブル配線とを設けた撮像装置において、
前記フレキキシブル配線を保持する保持部材を、前記回動カバーの回動軸に回動可能に設けたことを特徴とする撮像装置。
【００４３】
［実施態様６］  前記保持部材は、前記回動カバーの回動に連動して回動することを特徴とする実施態様５に記載の撮像装置。
【００４４】
［実施態様７］  前記回動カバーは、記録媒体が装着されるレコーダー機構を覆うカバーであることを特徴とする実施態様１乃至６のいずれかに記載の撮像装置。
【００４５】
【発明の効果】
以上のように、本発明の撮像装置によれば、回動カバーの誤動作を防止することができ、しかも、操作性に優れ且つ小型化が図れる。
【図面の簡単な説明】
【図１】本発明の一実施の形態に係る撮像装置であるビデオカメラの構成を示す前方斜視図である。
【図２】本発明の一実施の形態に係る撮像装置であるビデオカメラの構成を示す分解斜視図である。
【図３】本発明の一実施の形態に係る撮像装置であるビデオカメラの構成を示す要部断面図である。
【図４】本発明の一実施の形態に係る撮像装置であるビデオカメラの構成を示す要部断面図である。
【図５】本発明の一実施の形態に係る撮像装置であるビデオカメラの構成を示す要部断面図である。
【図６】本発明の一実施の形態に係る撮像装置であるビデオカメラの構成を示す要部断面図である。
【図７】本発明の一実施の形態に係る撮像装置であるビデオカメラの構成を示す要部断面図である。
【図８】本発明の一実施の形態に係る撮像装置であるビデオカメラの構成を示す要部断面図である。
【図９】本発明の一実施の形態に係る撮像装置であるビデオカメラの構成を示す要部断面図である。
【符号の説明】
１０１    撮像レンズ
１０２    録音マイク
１０３    ビデオカメラ本体
１０４    バッテリーパック
１０５    回動カバー
１０５ａ  ダボ
１０６    レコーダー機構
１０７    グリップベルト
１０８    ロックレバー
１０８ａ  爪部
１０９    ロックプレート
１０９ａ  三脚取付け部
１１０    電源スイッチ
１１１    スピーカー
１１２    フレキ配線
１１３    第１の保持部材
１１３ａ  軸穴
１１３ｂ  ストッパー部
１１３ｃ  クリック穴
１１３ｄ  スリット穴（長穴）
１１３ｅ  テーパー部
１１３ｆ  フック部
１１４    ロックバネ
１１５    回動軸
１１６    フレキシブル保持部材
１１６ａ  軸穴
１１６ｂ  角穴
１１６ｃ  スットパー部
１１７    第２の保持部材
１１８    第３の保持部材
１１９    本体カバー
１１９ａ  軸受部
１１９ｂ  軸受リブ
１１９ｃ  軸受リブ
１２０    クリックバネ
１２０ａ  第一の凸部
１２０ｂ  第二の凸部
【図１】
2004260601.tif 000003
【図２】
2004260601.tif 000004
【図３】
2004260601.tif 000005
【図４】
2004260601.tif 000006
【図５】
2004260601.tif 000007
【図６】
2004260601.tif 000008
【図７】
2004260601.tif 000009
【図８】
2004260601.tif 000010
【図９】
2004260601.tif 000011